【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
第１及び第２の線成分が熱膨張性シートにおける熱膨張層を熱膨張させるための印刷画像成分として描画されるとともに前記第１の線成分が前記第２の線成分に対して交差するように描画された画像を、前記熱膨張層が熱膨張する領域を示す画像としてプレビュー表示させる表示制御手段と、
前記第１の線成分と前記第２の線成分とのうち前景として割り当てられた方の線成分に輪郭を付与することにより前記表示制御手段によりプレビュー表示された前記画像が印刷された際には前記前景として割り当てられた方の線成分が背景として割り当てられた方の線成分を分断して見えるように、前記画像を印刷させる印刷制御手段と、
を備えたことを特徴とする立体造形物製造システム。
【請求項２】
前記印刷制御手段は、前記前景として割り当てられた方の線成分が前記背景として割り当てられた方の線成分と交差する箇所に前記輪郭を付与したことを特徴とする請求項１に記載の立体造形物製造システム。
【請求項３】
第１及び第２の線成分が熱膨張性シートにおける熱膨張層を熱膨張させるための印刷画像成分として描画されるとともに前記第１の線成分が前記第２の線成分に対して交差するように描画された画像を、前記熱膨張層が熱膨張する領域を示す画像としてプレビュー表示させる表示制御手段と、
前記第１の線成分と前記第２の線成分とのうち後から描画された方の線成分に輪郭を付与することにより前記表示制御手段によりプレビュー表示された前記画像が印刷された際には前記後から描画された方の線成分が先に描画された方の線成分を分断して見えるように、前記画像を印刷させる印刷制御手段と、
を備えたことを特徴とする立体造形物製造システム。
【請求項４】
前記印刷制御手段は、前記後から描画された方の線成分が前記先に描画された方の線成分と交差する箇所に前記輪郭を付与したことを特徴とする請求項３に記載の立体造形物製造システム。
【請求項５】
コンピュータを、
第１及び第２の線成分が熱膨張性シートにおける熱膨張層を熱膨張させるための印刷画像成分として描画されるとともに前記第１の線成分が前記第２の線成分に対して交差するように描画された画像を、前記熱膨張層が熱膨張する領域を示す画像としてプレビュー表示させる表示制御手段、
前記第１の線成分と前記第２の線成分とのうち前景として割り当てられた方の線成分に輪郭を付与することにより前記表示制御手段によりプレビュー表示された前記画像が印刷された際には前記前景として割り当てられた方の線成分が背景として割り当てられた方の線成分を分断して見えるように、前記画像を印刷させる印刷制御手段、
として機能させるためのプログラム。
【請求項６】
コンピュータを、
第１及び第２の線成分が熱膨張性シートにおける熱膨張層を熱膨張させるための印刷画像成分として描画されるとともに前記第１の線成分が前記第２の線成分に対して交差するように描画された画像を、前記熱膨張層が熱膨張する領域を示す画像としてプレビュー表示させる表示制御手段、
前記第１の線成分と前記第２の線成分とのうち後から描画された方の線成分に輪郭を付与することにより前記表示制御手段によりプレビュー表示された前記画像が印刷された際には前記後から描画された方の線成分が先に描画された方の線成分を分断して見えるように、前記画像を印刷させる印刷制御手段、
として機能させるためのプログラム。
【請求項７】
第１及び第２の線成分が熱膨張性シートにおける熱膨張層を熱膨張させるための印刷画像成分として描画されるとともに前記第１の線成分が前記第２の線成分に対して交差するように描画された画像を、
前記第１の線成分と前記第２の線成分とのうち前景として割り当てられた方の線成分に輪郭を付与し、
前記前景として割り当てられた方の線成分が背景として割り当てられた方の線成分を分断して見えるように、前記画像を前記熱膨張性シートに印刷する、
印刷方法。
【請求項８】
前記前景として割り当てられた方の線成分が前記背景として割り当てられた方の線成分と交差する箇所に前記輪郭を付与することを特徴とする請求項７に記載の印刷方法。
【請求項９】
第１及び第２の線成分が熱膨張性シートにおける熱膨張層を熱膨張させるための印刷画像成分として描画されるとともに前記第１の線成分が前記第２の線成分に対して交差するように描画された画像を、
前記第１の線成分と前記第２の線成分とのうち後から描画された方の線成分に輪郭を付与し、
前記画像が印刷された際には前記後から描画された方の線成分が先に描画された方の線成分を分断して見えるように、前記画像を前記熱膨張性シートに印刷する、
印刷方法。
【請求項１０】
前記後から描画された方の線成分が前記先に描画された方の線成分と交差する箇所に前記輪郭を付与することを特徴とする請求項９に記載の印刷方法。
【手続補正２】
【補正対象書類名】明細書
【補正対象項目名】発明の名称
【補正方法】変更
【補正の内容】
【発明の名称】立体造形物製造システム、プログラム及び印刷方法
【手続補正３】
【補正対象書類名】明細書
【補正対象項目名】０００１
【補正方法】変更
【補正の内容】
【０００１】
本発明は、立体造形物製造システム、プログラム及び印刷方法に関する。
【手続補正４】
【補正対象書類名】明細書
【補正対象項目名】０００８
【補正方法】変更
【補正の内容】
【０００８】
上記課題を解決するため、
立体造形物製造システムは、第１及び第２の線成分が熱膨張性シートにおける熱膨張層
を熱膨張させるための印刷画像成分として描画されるとともに前記第１の線成分が前記第
２の線成分に対して交差するように描画された画像を、前記熱膨張層が熱膨張する領域を
示す画像としてプレビュー表示させる表示制御手段と、
前記第１の線成分と前記第２の線成分とのうち前景として割り当てられた方の線成分に
輪郭を付与することにより前記表示制御手段によりプレビュー表示された前記画像が印刷
された際には前記前景として割り当てられた方の線成分が背景として割り当てられた方の
線成分を分断して見えるように、前記画像を印刷させる印刷制御手段と、
を備えたことを特徴とする。
また、立体造形物製造システムは、第１及び第２の線成分が熱膨張性シートにおける熱膨張層を熱膨張させるための印刷画像成分として描画されるとともに前記第１の線成分が前記第２の線成分に対して交差するように描画された画像を、前記熱膨張層が熱膨張する領域を示す画像としてプレビュー表示させる表示制御手段と、前記第１の線成分と前記第２の線成分とのうち後から描画された方の線成分に輪郭を付与することにより前記表示制御手段によりプレビュー表示された前記画像が印刷された際には前記後から描画された方の線成分が先に描画された方の線成分を分断して見えるように、前記画像を印刷させる印刷制御手段と、を備えたことを特徴とする。
また、プログラムは、コンピュータを、第１及び第２の線成分が熱膨張性シートにおける熱膨張層を熱膨張させるための印刷画像成分として描画されるとともに前記第１の線成分が前記第２の線成分に対して交差するように描画された画像を、前記熱膨張層が熱膨張する領域を示す画像としてプレビュー表示させる表示制御手段、前記第１の線成分と前記第２の線成分とのうち前景として割り当てられた方の線成分に輪郭を付与することにより前記表示制御手段によりプレビュー表示された前記画像が印刷された際には前記前景として割り当てられた方の線成分が背景として割り当てられた方の線成分を分断して見えるように、前記画像を印刷させる印刷制御手段、として機能させることを特徴とする。
また、プログラムは、コンピュータを、第１及び第２の線成分が熱膨張性シートにおける熱膨張層を熱膨張させるための印刷画像成分として描画されるとともに前記第１の線成分が前記第２の線成分に対して交差するように描画された画像を、前記熱膨張層が熱膨張する領域を示す画像としてプレビュー表示させる表示制御手段、前記第１の線成分と前記第２の線成分とのうち後から描画された方の線成分に輪郭を付与することにより前記表示制御手段によりプレビュー表示された前記画像が印刷された際には前記後から描画された方の線成分が先に描画された方の線成分を分断して見えるように、前記画像を印刷させる印刷制御手段、として機能させることを特徴とする。
また、印刷方法は、第１及び第２の線成分が熱膨張性シートにおける熱膨張層を熱膨張させるための印刷画像成分として描画されるとともに前記第１の線成分が前記第２の線成分に対して交差するように描画された画像を、前記第１の線成分と前記第２の線成分とのうち前景として割り当てられた方の線成分に輪郭を付与し、前記前景として割り当てられた方の線成分が背景として割り当てられた方の線成分を分断して見えるように、前記画像を前記熱膨張性シートに印刷する、ことを特徴とする。
また、印刷方法は、第１及び第２の線成分が熱膨張性シートにおける熱膨張層を熱膨張させるための印刷画像成分として描画されるとともに前記第１の線成分が前記第２の線成分に対して交差するように描画された画像を、前記第１の線成分と前記第２の線成分とのうち後から描画された方の線成分に輪郭を付与し、前記画像が印刷された際には前記後から描画された方の線成分が先に描画された方の線成分を分断して見えるように、前記画像を前記熱膨張性シートに印刷する、ことを特徴とする。